(57)【要約】【課題】容易に巻上機等の保守作業を行えるとともに、建屋を大きくすることなく作業員の退避スペースを確保できるエレベーターを提供する。【解決手段】乗りかご３と、乗りかご３の上面部３ａに設置された平坦な上面部１０ａを有する矩形状の作業台１０と、を備えたエレベーター１であって、作業台１０の上面部１０ａの面積を、乗りかご３の上面部３ａの面積よりも小さくし、乗りかご３の上面部３ａの一部に作業台１０に乗って作業する作業者３０の退避スペース２０を設けた。【選択図】図２
2018090349.tif 000002
【特許請求の範囲】
【請求項１】
乗りかごと、
前記乗りかごの上面部に設置された平坦な上面部を有する矩形状の作業台と、を備えたエレベーターであって、
前記作業台の上面部の面積を、前記乗りかごの上面部の面積よりも小さくし、前記乗りかごの上面部の一部に前記作業台に乗って作業する作業者の退避スペースを設けた
エレベーター。
【請求項２】
前記作業台は、前記乗りかごの上面部において、前記乗りかごを昇降させる巻上機側に設置されている
請求項１に記載のエレベーター。
【請求項３】
前記作業台の内部に、前記乗りかご内の環境を整える付属機器を収納した
請求項１または２に記載のエレベーター。
【請求項４】
昇降路を昇降する乗りかごと、
前記乗りかごと釣り合うように昇降路を昇降する釣合おもりと、
前記乗りかごと前記釣合おもりを懸架するロープと、
前記ロープと係合して前記乗りかご及び前記釣合おもりを昇降する巻上機と、
前記釣合おもりの下方に設置された釣合おもり緩衝器と、
前記乗りかごの上面部に設置された平坦な上面部を有する矩形状の作業台と、
前記乗りかごの上面部を囲むように設けられた手摺りと、
前記乗りかごの上面部において、前記乗りかごを昇降させる巻上機側に設置された前記作業台の上面部の面積を、前記乗りかごの上面部の面積よりも小さくして形成された、前記乗りかごの上面部の一部に前記作業台に乗って作業する作業者の退避スペースと、
を備えたエレベーター。
【発明の詳細な説明】
【技術分野】
【０００１】
本発明は、巻上機等の保守作業が必要なエレベーターに関する。
【背景技術】
【０００２】
従来、平坦な上面部を有する作業台を乗りかごの天井の上面全体を覆うように設置して、作業員が作業台に乗って巻上機等の保守作業を行うエレベーターが知られている（特許文献１）。
【０００３】
一方、保守作業を行う作業者の安全を確保するために、昇降路の頂部と作業台との間には、所定の高さを確保した退避スペースを設けることが法律で義務づけられている。
【先行技術文献】
【特許文献】
【０００４】
【特許文献１】特開２０００−１６７２５号公報
【発明の概要】
【発明が解決しようとする課題】
【０００５】
しかしながら、退避スペースの高さは作業台の上面部から計算されることになるため、従来のエレベーターでは、退避スペースを確保するために昇降路全体の高さが高くなり、これに合わせて、エレベーターを設置する建屋を大きくしなければならないという問題があった。
【０００６】
本発明の目的は、上記の問題点を考慮し、容易に巻上機等の保守作業を行えるとともに、建屋を大きくすることなく作業員の退避スペースを確保できるエレベーターを提供することにある。
【課題を解決するための手段】
【０００７】
上記課題を解決するために、例えば、特許請求の範囲に記載の構成を採用する。本願のエレベーターは、上記課題を解決する手段を複数含んでいるが、その一例を挙げるならば、乗りかごと、乗りかごの上面部に設置された平坦な上面部を有する矩形状の作業台と、を備えたエレベーターであって、作業台の上面部の面積を乗りかごの上面部の面積よりも小さくし、乗りかごの上面部の一部に作業台に乗って作業する作業者の退避スペースを設けたものである。
【発明の効果】
【０００８】
本発明のエレベーターによれば、巻上機等の保守作業を容易に行えるとともに、建屋を大きくすることなく作業員の退避スペースを確保できる。
【図面の簡単な説明】
【０００９】
【図１】本発明の一実施形態によるエレベーターの全体概略図である。
【図２】本発明の一実施形態によるエレベーターの巻上機を保守作業員が修理する際の概念図である。
【図３】本発明の一実施形態による乗りかごの上面図である。
【発明を実施するための形態】
【００１０】
以下、本発明のエレベーターの実施の形態例（以下、「本例」という。）について、図面を参照して説明する。なお、本明細書及び図面において、実質的に同一要素又は同一機能を有する部材には、同一符号を用いることとし、重複する発明の説明は省略する。
【００１１】
図１は、本例のエレベーター１の全体概略図である。
図１に示すように、本例のエレベーター１は、建屋内に形成された昇降路２と、乗りかご３と、釣合おもり４と、主ロープ５と、巻上機６とを具備している。巻上機６により主ロープ５を移動させることで、乗りかご３及び釣合重り４が昇降路２内を昇降する。昇降路２の底部に形成されたピットの底面７には、おもり緩衝器８が設置されている。おもり緩衝器８は、圧縮機能を有し、釣合おもり４の床面７への投影面積内に設けられている。おもり緩衝器８は、何らかの理由によって釣合おもり４に過下降が生じた場合に、釣合おもり４を受け止めて、乗りかご３への衝撃を緩和する。なお、本例のエレベーター１は、昇降路２の上部に機械室を設ける必要がないタイプであり、建屋上部への荷重が少なく、また、昇降路を比較的自由に設計することができる。
【００１２】
図中の点線１１は、釣合おもり４がおもり緩衝器８を全圧縮した際の乗りかご２の位置（最上位停止位置）を示す。すなわち、本例のエレベーター１では、乗りかご２の位置が、原則として点線１１よりも上方に移動しないように設計されている。
【００１３】
図２は、保守作業員が乗りかご３の天井の上に乗り、巻上機６を修理する際の概念図であり、図３は、乗りかご３の上面図である。
図２に示すように、巻上機６は、昇降路２の天頂部２ａの近くに配置されている。巻上機６は、レールブラケット１７により固定されたガイドレール１８の上部に設置された複数の巻上機支持用ブラケット１９に載置されている。
【００１４】
乗りかご３の上面部３ａには、上面１０ａが平坦に形成された高さＨ２の矩形状の作業台１０が設置されている。図３に示すように、本例の作業台１０の上面部１０ａの面積は、乗りかご３の上面部３ａの面積よりも小さくなうように形成されている。また、作業台１０は、乗りかご３の上面部３ａの中心線Ｓよりも巻上機６に近づく側に配置されている。
【００１５】
本例では、乗りかご３の上面部３ａの中心線Ｓよりも巻上機６から遠くなる側には作業台１０が存在しておらず、その部分は乗りかご３の上面部３ａが露出した状態にある。すなわち、乗りかご３の上面部３ａには、作業台１０が存在して高さが高い部分３１と、作業台１０がなく高さが低い部分３２が設けられており、高さの低い部分３２は、緊急時に作業員が退避するための退避スペース２０を構成する。
【００１６】
ここで、退避スペースとは、建築基準法で要求されている作業者の安全を確保するための空間であり、その大きさはエレベーターの規模等により定められる。退避スペース２０の大きさは、例えば、釣合おもり４が釣合おもり緩衝器８を全圧縮した場合における作業者の安全を確保するために必要な天頂部２ａまでの長さであり、本例では図２のＨ１で示す。
【００１７】
本例のエレベーター１によれば、乗りかご３の上面部３ａの高さが低い部分３２を基準として退避スペース２０の大きさを決めることができるので、作業台１０を乗りかご３の上面部３ａの全体に設けた場合よりもＨ１の長さを小さくすることができる。これにより、昇降路２の全体の高さを低くすることができ、エレベーター１を設置する建屋を小さくすることができる。
【００１８】
また、本例のエレベーター１によれば、巻上機６の保守作業を行う場合には、図２に示すように、作業員３０が作業台１０の上面部１０ａに乗ることで、作業台の高さＨ２と作業者の高さＨ３を合わせたＨ２＋Ｈ３を作業範囲として確保することができる。従って、巻上機６の高さが高いような場合であっても、作業員３０は容易に保守作業を行うことができる。
【００１９】
また、作業員の意図に反して、何らかの理由により、保守作業中に乗りかご３が上昇し始めたような場合には、作業者３０は、作業台１０を降りて、乗りかご３の上面部３ａが露出している低い部分３２に退避する。これにより、昇降路２の天頂２ａ部分までの距離が長くなるので、作業者３０は昇降路２の天頂２ａ部分に接触することを回避できる。
【００２０】
なお、本例では、作業台１０を設ける位置を乗りかご３の上面部３ａの巻上機６側としたが、退避スペース２０を設けるには乗りかご３の上面部３ａに高さの低い部分３２を形成すればよいので、例えば、作業台１０を乗りかご３の上面部３ａの中央付近に設け、上面部３ａの周辺部を退避スペース２０としてもよい。なお、この場合には、巻上機６からの作業台１０までの距離が遠くなるので、作業台１０の高さをＨ２よりも高くして、作業範囲を広くしておくことが望ましい。
【００２１】
また、作業台１０の内部には、乗りかご室内を照明する照明器具、換気扇、制御器等の乗りかご内の環境を整える付属機器１４が収納されている。これにより、作業者３０は、足下の付属機器に邪魔をされることなく保守作業を行うことができる。
【００２２】
また、乗りかご３の上面部３ａ及び作業台１０には、乗りかご３の上面部３ａの周囲を囲うように手摺り１２が設置されている。手摺り１２を設けることにより、作業員３０が、保守作業中に誤って乗りかご３から昇降路２内に転落することを防ぐことができる。
【００２３】
以上述べたように、本例のエレベーター１によれば、乗りかご３の上面部３ａに、退避スペース２０として高さの低い部分３２を設けたので、建築基準法で要求されている作業者の安全を確保するための空間を小さくすることができ、エレベーター１を設置する建屋の大きさを小さくすることができる。
【００２４】
なお、本発明のエレベーターは、上述の各形態に限定されるものではなく、その他材料、構成等において本発明の構成を逸脱しない範囲において種々の変形、変更が可能であることはいうまでもない。
【符号の説明】
【００２５】
１・・・エレベーター、２・・・昇降路、２ａ・・・天頂部、３・・・乗りかご、３ａ・・・上面部、４・・・釣合おもり、５・・・主ロープ、６・・・巻上機、７・・・床面、８・・・釣合おもり緩衝器、１０・・・作業台、１１・・・最上位停止位置、１２・・・手摺り、１４・・・付属機器、１７・・・レールブラケット、１８・・・ガイドレール、１９・・・巻上機支持用ブラケット、２０・・・退避スペース、３０・・・作業員
【図１】
2018090349.tif 000003
【図２】
2018090349.tif 000004
【図３】
2018090349.tif 000005